(57)【特許請求の範囲】
【請求項１】
投入ホッパ(7) から来た廃棄物圧縮塊(W) を載せるベッド(1) 上の破砕すべき廃棄物圧縮塊(W) を前方へ所定長さずつ順次押し出すプッシャー(2) と、投入ホッパ(7) の前壁外面に垂直に設けられかつシリンダ(12)によって所定距離上下動させられるスタンパー(3) と、スタンパー(3) のさらに前方に配置されかつシリンダ(13)によって所定距離上下動させられ、下端に上ナイフ(4) が取り付けられているナイフ固定部材(15)と、この可動上ナイフ(4) に対向するように、ベッド(1) の前端に設けられた固定下ナイフ(17)とを備えている廃棄物圧縮塊破砕用ギロチン式破砕機であって、可動上ナイフ(4) は横歯(4a)と複数の突出状縦刃(4b)とから成り、および固定下ナイフ(17)は横歯(17a) と複数の突出状縦刃(17b) とから成り、ベッド(1) の前方にはその延長状に受台(5) がベッド(1) と略面一状に水平配置されてベッド(1) の前端側面に枢着軸(16)で枢着され、受台(5) はシリンダー(6) で据付部(14)に支持されていて、シリンダー(6) は受台(5) をその枢着軸(16)を中心に回転させて適時水平状態から下方に後退させるものであり、切断前は、受台(5) はベッド(1) の前方にその延長状に水平配置され、破砕すべき廃棄物圧縮塊(W) はベッド(1) および受台(5) 上を前方へプッシャー(2) で所定長さずつ順次押し出され、先端部がベッド(1) から突出させられ、この状態で、先端突出部は、上方から降下したスタンパー(3) によってベッド(1) に押え付けられて固定され、ついで、可動上ナイフ(4) が下降して固定下ナイフ(17)との剪断によって廃棄物圧縮塊(W) の先端突出部が切り離され、上記切断操作の最終段階において、残った廃棄物圧縮塊(W) の重心(A) はベッド(1) の先端より前に出ても受台(5) の上に位置しているため、自然落下せず、廃棄物圧縮塊(W) はこの状態で上方から降下したスタンパー(3) によってベッド(1) に押え付けられて固定され、ついで、受台(5) はシリンダ(6) によってその枢着軸(16)を中心に回転させられて下方に後退して、収納位置に収められ、その後、可動上ナイフ(4) が下降して固定下ナイフ(17)との剪断によって廃棄物圧縮塊(W) の先端突出部が切り離され、こうして最終段階で残った廃棄物圧縮塊(W) も所定長さに切断され、また、上記のようにして得られた所要長さの切断物が固定下ナイフ(17)の複数の突出状縦刃(17b) の間に挟まった状態になることがあり、このような場合、シリンダ(6) によって受台(5) を収納位置から出して上方に上げると、挟まった切断物が押し上げられて落下するか、または、上に持ち上げられた切断物は、プッシャー(2) で次に送られて来る廃棄物圧縮塊(W) によって前方へ押されて、落下するようになされている、廃棄物圧縮塊破砕用ギロチン式破砕機。
【発明の詳細な説明】
【０００１】
【発明の属する技術分野】
この発明は、ごみ処理分野等でよく用いられる廃棄物圧縮塊破砕用ギロチン式破砕機の改良に関するものである。
【０００２】
【従来の技術】
従来のギロチン式切断機では、図６に示すように、破砕すべき廃棄物圧縮塊(W) はベッド(1) 上を前方へプッシャー(2) で所定長さずつ順次押し出され、先端部がベッド(1) から突出させられる。この状態で、先端突出部は、上方から降下したスタンパー(3) によってベッド(1) に押え付けられて固定され、ついで上ナイフ(4) が下降して先端突出部が切り離される。こうして廃棄物圧縮塊(W) が所定長さに切断されていく。
【０００３】
【発明が解決しようとする課題】
しかし、上記切断操作の最終段階になると、図７に示すように、残った廃棄物圧縮塊(W) の重心(A) がベッド(1) の先端より前に位置するようになり、したがって廃棄物圧縮塊(W) はスタンパー(3) の降下前に自然落下してしまい、切断できなくなる。この未切断片は、所定長さ以上の長さのまま次工程に行くため、搬送路の閉塞を引き起こす恐れがある。
【０００４】
また、上記のようにして得られた所要長さの切断物は、往々にして、切断位置において固定下ナイフ(17)の複数の突出状縦刃の間に挟まった状態になることがあり、これを取り除くのに面倒な除去作業が必要である。
【０００５】
この発明の目的は、上記の点に鑑み、切断操作の最終段階においても、残った廃棄物圧縮塊(W) が自然落下のため未切断のまま次工程に行くことがなく、また、切断物が固定下ナイフ(17)の複数の突出状縦刃の間に挟まってもこれを容易に取り除くことができる廃棄物圧縮塊破砕用ギロチン式破砕機を提供することにある。
【０００６】
【課題を解決するための手段】
この発明による廃棄物圧縮塊破砕用ギロチン式破砕機は、投入ホッパ(7) から来た廃棄物圧縮塊(W) を載せるベッド(1) 上の破砕すべき廃棄物圧縮塊(W) を前方へ所定長さずつ順次押し出すプッシャー(2) と、投入ホッパ(7) の前壁外面に垂直に設けられかつシリンダ(12)によって所定距離上下動させられるスタンパー(3) と、スタンパー(3) のさらに前方に配置されかつシリンダ(13)によって所定距離上下動させられ、下端に上ナイフ(4) が取り付けられているナイフ固定部材(15)と、この可動上ナイフ(4) に対向するように、ベッド(1) の前端に設けられた固定下ナイフ(17)とを備えている廃棄物圧縮塊破砕用ギロチン式破砕機であって、可動上ナイフ(4) は横歯(4a)と複数の突出状縦刃(4b)とから成り、および固定下ナイフ(17)は横歯(17a) と複数の突出状縦刃(17b) とから成り、ベッド(1) の前方にはその延長状に受台(5) がベッド(1) と略面一状に水平配置されてベッド(1) の前端側面に枢着軸(16)で枢着され、受台(5) はシリンダー(6) で据付部(14)に支持されていて、シリンダー(6) は受台(5) をその枢着軸(16)を中心に回転させて適時水平状態から下方に後退させるものであり、切断前は、受台(5) はベッド(1) の前方にその延長状に水平配置され、破砕すべき廃棄物圧縮塊(W) はベッド(1) および受台(5) 上を前方へプッシャー(2) で所定長さずつ順次押し出され、先端部がベッド(1) から突出させられ、この状態で、先端突出部は、上方から降下したスタンパー(3) によってベッド(1) に押え付けられて固定され、ついで、可動上ナイフ(4) が下降して固定下ナイフ(17)との剪断によって廃棄物圧縮塊(W) の先端突出部が切り離され、上記切断操作の最終段階において、残った廃棄物圧縮塊(W) の重心(A) はベッド(1) の先端より前に出ても受台(5) の上に位置しているため、自然落下せず、廃棄物圧縮塊(W) はこの状態で上方から降下したスタンパー(3) によってベッド(1) に押え付けられて固定され、ついで、受台(5) はシリンダ(6) によってその枢着軸(16)を中心に回転させられて下方に後退して、収納位置に収められ、その後、可動上ナイフ(4) が下降して固定下ナイフ(17)との剪断によって廃棄物圧縮塊(W) の先端突出部が切り離され、こうして最終段階で残った廃棄物圧縮塊(W) も所定長さに切断され、また、上記のようにして得られた所要長さの切断物が固定下ナイフ(17)の複数の突出状縦刃(17b) の間に挟まった状態になることがあり、このような場合、シリンダ(6) によって受台(5) を収納位置から出して上方に上げると、挟まった切断物が押し上げられて落下するか、または、上に持ち上げられた切断物は、プッシャー(2) で次に送られて来る廃棄物圧縮塊(W) によって前方へ押されて、落下するようになされているものである。
【０００７】
【発明の実施の形態】
図１において、(7) は破砕すべき廃棄物圧縮塊(W) の投入ホッパ、(8) はウイング、(9) はそのシリンダ、(1) は投入ホッパ(7) から来た廃棄物圧縮塊(W) を載せるベッド、(2) はベッド(1) 上の破砕すべき廃棄物圧縮塊(W) を前方へ所定長さずつ順次押し出すプッシャーで、シリンダ(11)によって所定距離往復動させられる。(3) は投入ホッパ(7) の前壁外面に垂直に設けられたスタンパーで、シリンダ(12)によって所定距離上下動させられる。(15)はスタンパー(3) のさらに前方に配置されたナイフ固定部材で、シリンダ(13)によって所定距離上下動させられ、下端に上ナイフ(4) が取り付けられている。この可動上ナイフ(4) に対向するように、ベッド(1) の前端に固定下ナイフ(17)が設けられている。可動上ナイフ(4) は横歯(4a)と複数の突出状縦刃(4b)とから成る。および固定下ナイフ(17)は横歯(17a) と複数の突出状縦刃(17b) とから成る（図２参照）。ベッド(1) の前方にはその延長状に受台(5) がベッド(1) と略面一状に水平配置されてベッド(1) の前端側面に水平の枢着軸(16)で枢着され、受台(5) はシリンダー(6) で据付部(14)に支持されている。シリンダー(6) は受台(5) をその枢着軸(16)を中心に回転させて適時水平状態から下方に後退させる。
【０００８】
上記構成のギロチン式破砕機においては、図２に示すように、切断前は受台(5) はベッド(1) の前方にその延長状に水平配置されている。破砕すべき廃棄物圧縮塊(W) はベッド(1) および受台(5) 上を前方へプッシャー(2) で所定長さずつ順次押し出され、先端部がベッド(1) から突出させられる。この状態で、先端突出部は、上方から降下したスタンパー(3) によってベッド(1) に押え付けられて固定される。ついで、可動上ナイフ(4) が下降して固定下ナイフ(17)との剪断によって廃棄物圧縮塊(W) の先端突出部が切り離される。こうして廃棄物圧縮塊(W) が所定長さに切断されていく。
【０００９】
上記切断操作の最終段階において、残った廃棄物圧縮塊(W) の重心(A) はベッド(1) の先端より前に出ても受台(5) の上に位置しているため、自然落下しない（図３参照）。廃棄物圧縮塊(W) はこの状態で上方から降下したスタンパー(3) によってベッド(1) に押え付けられて固定される。ついで、図４に示すように、受台(5) はシリンダ(6) によってその枢着軸(16)を中心に回転させられて下方に後退し、収納位置に垂直状態で収められる。その後、可動上ナイフ(4) が下降して固定下ナイフ(17)との剪断によって廃棄物圧縮塊(W) の先端突出部が切り離される。こうして最終段階で残った廃棄物圧縮塊(W) も所定長さに切断される。
【００１０】
また、上記のようにして得られた所要長さの切断物は、図５に示すように、切断物が固定下ナイフ(17)の複数の突出状縦刃(17b) の間に挟まった状態になることがある。このような場合、シリンダ(6) によって受台(5) を収納位置から出して上方に上げると、挟まった切断物が押し上げられて、位相が変わることにより容易に落下する。または、上に持ち上げられた切断物は、プッシャー(2) で次に送られて来る廃棄物圧縮塊(W) によって前方へ押され、これによっても確実に位相が変えられ、容易に落下し、次工程へ送られる。
【００１１】
【発明の効果】
この発明による廃棄物圧縮塊破砕用ギロチン式破砕機では、ベッド(1) の前方にその延長状に受台(5) が配置されてベッド(1) に枢着され、受台(5) はこれを収納位置へ適時後退させるシリンダー(6) によって支持さているので、切断操作の最終段階において、残った廃棄物圧縮塊(W) が自然落下のため未切断のまま次工程に行くことがない。また、切断物が固定下ナイフ(17)の複数の突出状縦刃(17b) の間に挟まっても、シリンダ(6) によって受台(5) を収納位置から出して上方に上げると、挟まった切断物が押し上げられて、位相が変わることにより容易に落下するか、または、上に持ち上げられた切断物は、プッシャー(2) で次に送られて来る廃棄物圧縮塊(W) によって前方へ押され、これによっても確実に位相が変えられ、容易に落下し、これを容易に取り除くことができる。
【図面の簡単な説明】
【図１】  この発明による廃棄物圧縮塊破砕用ギロチン式破砕機の全体構造を示す垂直縦断面図である。
【図２】  スタンパー降下前の状態を示すギロチン式破砕機前部の垂直縦断面図である。
【図３】  上ナイフ降下前の状態を示すギロチン式破砕機前部の垂直縦断面図である。
【図４】  切断時の状態を示すギロチン式破砕機前部の垂直縦断面図である。
【図５】  切断物が固定下ナイフの複数の突出状縦刃の間に挟まった状態を示すギロチン式破砕機前部の垂直縦断面図である。
【図６】  上ナイフ降下前の状態を示す従来のギロチン式破砕機前部の垂直縦断面図である。
【図７】  切断操作の最終段階を示す従来のギロチン式破砕機前部の垂直縦断面図である。
【符号の説明】
Ｗ：廃棄物圧縮塊（
Ａ：廃棄物圧縮塊の重心
１：ベッド
２：プッシャー
３：スタンパー
４：可動上ナイフ
４ａ：横歯
４ｂ：複数の突出状縦刃
５：受台
６：シリンダー
７：投入ホッパ
１２：シリンダ
１３：シリンダ
１４：据付部
１５：ナイフ固定部材
１６：枢着軸
１７：固定下ナイフ
１７ａ：横歯
１７ｂ：複数の突出状縦刃
【図１】
0003650868.tif 000002
【図２】
0003650868.tif 000003
【図３】
0003650868.tif 000004
【図４】
0003650868.tif 000005
【図５】
0003650868.tif 000006
【図６】
0003650868.tif 000007
【図７】
0003650868.tif 000008